Podtech/llm-jp-corpus-v4-ja_patent huggingface dataset:
(57)【要約】【課題】  本発明は、車両を運転中に、進路を譲ってもらったときに後続車の運転者に対して感謝の気持ちを表現することを目的としたもので、車両のリヤーワイパーの軸を利用し、犬の尾の形をした飾りの装飾パネルを取り付けた車両の表示装置を提供する。【解決手段】  車両の後部に取り付けてあるリヤーワイパーを取り外し、モーター軸に任意素材の犬の尾の形をした飾りを取り付け、また、前記犬の尾の底部の前記車両のリヤーボンネットに前記犬の模様の装飾パネルを貼り付けたことを特徴とする車両のリヤーワイパー軸を利用し、犬の尾の形をした飾りの装飾パネルを取り付けた車両の表示装置。【選択図】図１
2013216300.tif 000002
【特許請求の範囲】
【請求項１】
車両の後部に取り付けてあるリヤーワイパーを取り外し、モーター軸に任意素材の犬の尾の形をした飾りを取り付け、また、前記犬の尾の底部の前記車両のリヤーボンネットに前記犬の模様の装飾パネルを貼り付けたことを特徴とする車両のリヤーワイパー軸を利用し、犬の尾の形をした飾りの装飾パネルを取り付けた車両の表示装置。
【発明の詳細な説明】
【発明の詳細な説明】
【技術分野】
【０００１】本発明は、車両を運転中に、進路を譲ってもらったときに後続車の運転者に対して感謝の気持ちを表現することを目的としたもので、車両のリアーワイパーの軸を利用し、犬の尾の形をした飾りの装飾パネルを取り付けた車両の表示装置に関するものである。
【背景技術】
【０００２】従来、進路を譲ってもらったときに後続車の運転者に対して、ハザードランプをつけて謝意を表現していました。
又、リアーウィンドーに電照盤、液晶盤を設置したり、文字で感謝を表示した。
【発明が解決しようとする課題】
【０００３】従来よりも謝意を表すのに相手のドライバーが楽しくなったりする方法を考えてみた。犬が尾を振るという手段は、相手の感覚を楽しく面白さを与える。
【課題を解決する手段】
【０００４】  車両の後部に取り付けてあるリアーワイパーを取り外し、モーター軸に任意素材の犬の尾の形をした飾りを取り付け、また、前記犬の尾の底部の前記車両のリアーボンネットに前記犬の模様の装飾パネルを貼り付けたことを特徴とする車両のリアーワイパー軸を利用し、犬の尾の形をした装飾パネルを取り付けた車両の表示装置。
【発明の効果】
【０００５】    犬が尾を振る効果は、面白さと遊び心をわき起こし、車両同士のコミュニケーションをよいものとする。
【図面の簡単な説明】
【０００６】
【図１】  本発明の斜視図である。
【図２】  尾の部分の説明図である。
【図３】  パネルの説明図である。
【図４】  孔の説明図である。
【発明を実施するための形態】
【０００７】次に、本発明の実施の形態について説明する。
リアーワイパーの回動軸（５）に取り付ける犬の尾（１）をした飾りの装飾パネル（２）は、前記リアーワイパーの回動軸（５）を作動させることにより、前記犬が尾を振っている状態になる。
また、底部に貼られた装飾パネル（２）の犬の種類によって様々な犬の尾（１）の形にする。
たとえば、柴犬は柴犬の尾にする。しかし、架空の犬の場合は面白くする。
犬の尾は、様々な犬の尾の形、大きさに態様できる。
また、犬の模様（７）は、後ろ姿になるときは、後ろを振り向いたりして模様を愛くるしくする。
犬の模様（７）が横向きの場合でも、後ろを向いて模様を愛らしくする。
犬の模様は、身体を後ろ姿にして犬の画面が後ろを振り返るのと、身体を横向きにして、犬の顔面が後ろを見る模様とする装飾パネルを貼り付ける。
犬の模様の装飾パネルを貼り付け箇所は、リアーワイパーの回動軸（５）の取り付けてある箇所により、リアーボンネット（４）、リアーウィンドー（３）、または、前記リアーボンネット（４）、前記リアーウィンドー（３）の両方にまたがるなどの適正な箇所にする。
装飾パネル（２）は、リアーボンネット（４）、リアーウィンドー（３）にまたがるなどのときは、境目に段差が生じる場合があるので、ある程度曲がりに強いものとする。
車両の後部に取り付けてあるリアーワイパーを取り外し、リアーワイパーの回動軸（５）に装飾パネル（２）の孔（８）を入れて、その上から任意素材の犬の尾（１）を取り付けてナット（６）で固定させる。
また、前記犬の尾（１）の底部の前記車両のリアーボンネット（４）、リアーウィンドー（３）に犬の模様（７）の装飾パネル（２）を取り付ける。
【符号の説明】
【０００８】１  犬の尾
２  装飾パネル
３  リアーウィンドー
４  リアーボンネット
５  リアーワイパーの回動軸
６  ナット
７  犬の模様
８  孔
【図１】
2013216300.tif 000003
【図２】
2013216300.tif 000004
【図３】
2013216300.tif 000005
【図４】
2013216300.tif 000006
(57)【要約】【課題】収縮量を低減させたモルタル又はコンクリートを提供する。【解決手段】セメント、骨材、水を主成分とするモルタル又はコンクリートにガラスを混入することを特徴とする。モルタル又はコンクリートは、硬化とともに収縮するため、ガラスを混入して有害とならない範囲のアルカリシリカ反応を発生させ、アルカリシリカ反応に伴う膨張を生じさせることで収縮量を低減することができる。【選択図】なし【特許請求の範囲】
【請求項１】
平均粒径が１ミリメートル以下のガラスを混入して、収縮量を低減することを特徴とするセメント混合物。
【請求項２】
平均粒径が１ミリメートル以下のガラスを混入して、収縮量を低減することを特徴とするコンクリート。
【発明の詳細な説明】
【技術分野】
【０００１】
本発明は、粉末状のガラスを混入したセメント混合物、及び粉末状のガラスを混入したモルタル又はコンクリートに関する。
【背景技術】
【０００２】
全国の生コンクリートの収縮試験の結果は非特許文献１で示されている。データ数１００６個の平均収縮ひずみは６７９ミクロンである。
【０００３】
コンクリートの収縮に伴うひび割れを抑制する対策として、収縮低減剤、膨張材などの添加剤の使用や、骨材として石灰石を用いた粗骨材（砕石）及び細骨材（砕砂）の使用が有効とされている。しかし、これらの添加材料は高価であり、骨材として石灰岩を用いる場合は、その生産地や使用地域が限定される。
【０００４】
ガラス瓶等のガラス製品は、使用後に回収し、洗浄して再利用され、また一旦粉砕してガラスカレットとし、新たなガラス製品として再生することが行われている。しかし、大量に生じるガラス廃材は、全てガラス製品として再利用することができず、回収されても利用できずに放置されているものが多い。これらのガラス廃材を産業廃棄物として受け入れることができる処分場も減少しており、ガラス廃材の有効な用途が求められている。
【０００５】
このガラス廃材の用途として、コンクリートやモルタルの骨材として用いることが提案されている。ガラス廃材のリサイクルを目的にコンクリートにガラス廃材を混入すると、セメント中及びガラス廃材中のアルカリ金属とガラス廃材中の未晶質のシリカ分が反応（アルカリシリカ反応）し、その反応生成物が膨張し、コンクリートに亀甲状のひび割れ等の劣化を発生させるためコンクリート中にガラス材を混入することは困難であった。
【０００６】
アルカリシリカ反応による課題を解決する手段が特許文献１及び特許文献２に開示されており、普通に使用されているセメントとは異なる特殊なセメントを選択している。
【０００７】
廃ガラスビン粉末を用いたコンクリートの収縮特性は非特許文献２で示されている。この場合、アルカリシリカ反応を発生させないように摂氏２０度で養生させて、乾燥収縮ひずみに着目したもので、廃ガラスビン粉末を未混入としたものと同等の乾燥収縮特性が得られている。
【０００８】
実際のコンクリート構造物では硬化時に摂氏２０度以上の温度上昇が生じるため、粉末状のガラス材を混入するとアルカリシリカ反応が生じる。
【０００９】
これまでのガラス材を混入したモルタル又はコンクリートの研究において、アルカリシリカ反応による膨張と乾燥収縮は、それぞれ個別に検討されている。
【先行技術文献】
【特許文献】
【００１０】
【特許文献１】特開平１１−１９９２９４
【特許文献２】特開２００３−１３７６３８
【非特許文献】
【００１１】
【非特許文献１】生コンクリートの乾燥収縮に関する全国調査、コンクリート工学、Vol.48、No.7、2010.7
【非特許文献２】廃ガラスビン粉末を用いたコンクリートの耐久性に関する研究、コンクリート工学年次論文集、Vol.23、No.1、2001
【発明の概要】
【発明が解決しようとする課題】
【００１２】
第１の問題点は、コンクリート硬化時には収縮ひずみが生じ、収縮ひずみに伴いひび割れが発生する。
第２の問題点は、コンクリート中にガラスを混入した場合にアルカリシリカ反応に伴う膨張ひずみが生じる。
【課題を解決するための手段】
【００１３】
普通セメント、骨材、水を主成分とするモルタル又はコンクリートに粉末状のガラスを混入することを特徴とする。モルタル又はコンクリートは、硬化とともに収縮ひずみが生じるため、粉末状のガラスを混入して膨張ひずみが５００ミクロン以下のアルカリシリカ反応を発生させることで、収縮量を低減することができる。
【発明の効果】
【００１４】
コンクリートの収縮に伴うひび割れが発生しない、又はひび割れを大幅に減少させることができる。これによって、ガラス廃材を含むモルタル又はコンクリートの利用が促進される。
【発明を実施するための最良の形態】
【００１５】
本願の一実施形態であるセメント混合物について説明する。
このセメント混合物はセメントと粉末状のガラス廃材を含むものであり、これらの材料で構成されるものであってもよいし、これらの他に骨材や混和材や混和剤を混合してもよい。
【００１６】
セメントはアルカリシリカ反応を活用するために、普通ポルトランドセメントを用いる。ガラス廃材はアルカリシリカ反応を促進させるために、粒径が１ミリメートル以下に粉末化したものを用いる。ガラス廃材の混合割合は、セメントとガラス粉末中に含有されているアルカリ量に応じて、セメント重量に対して１％から３０％の範囲で配合する。
(57)【要約】【課題】  前後左右自在移動台車において、前記台車を前後方向に移動させる事が出来る、さらに、左右方向すなわち、横方向に９０度移動させることを課題とする。【解決手段】  前後左右自在移動台車でおいて、前記前輪二輪、後輪二輪が各独自に前転、後転回転駆動する駆動具を設け、前転、後転によって、台車を前後に移動させることができる。さらに、前記の全車輪を一体に左右９０度回転させることのできる回転動具を設ける。前記車輪を９０度回転させることによって、左右すなわち、横方向に移動することが出来ることを解決手段とする。【選択図】図６
2013216301.tif 000002
【特許請求の範囲】
【請求項１】
前後左右自在移動台車において、前輪二輪、後輪二輪を設け、前記車輪が各独自に前転、後転回転駆動する駆動具を備え、さらに、前記の全車輪を一体に左右９０度回転させることのできる回転動具を設けたことを特徴とする、前後左右自在移動台車。
【請求項２】
請求項１に記載の台車において、全車輪を一体に左右９０度回転させることのできる回転動具上に荷物台を設けたことを特徴とする、請求項１に記載の前後左右自在移動台車。
【発明の詳細な説明】
【発明の詳細な説明】
【技術分野】
【０００１】  本発明は、移動手段を目的とする台車に関する。
【従来の技術とその問題点】
【０００２】  従来の技術とその問題点は、下記に明記する。
【０００３】  移動手段を目的とする台車において、前後に移動する台車は従来多数使用されているが、左右すなわち横方向９０度に移動させることが技術的に困難である。
【０００４】  移動手段を目的とする台車において、左右方向（横方向）移動するときは、大きく回転移動する方法を用いた、よって、広い場所を必要としていた。
【０００５】  移動手段を目的とする台車において、左右方向（横方向）移動するときは、大きく回転移動する方法を用いるため、より多くの方向転換移動時間を要していた。
【発明の概要】
【発明が解決しようとする課題】
【０００６】  本発明は、従来の技術とその問題点を解決することを課題としている。【０００７】  移動手段を目的とする台車において、前後移動する台車は従来多数使用されているが、左右すなわち横方向９０度に容易に移動させることを課題としている。【０００８】  移動手段を目的とする台車において、左右方向（横方向）移動するときは、大きく回転移動する事なく、回転車輪を９０度回転させる事によって、左右方向（横方向）に狭い場所にても方向を変えることを課題としている。【０００９】  移動手段を目的とする台車において、左右方向（横方向）移動するときは、大きく回転移動する事なく、回転車輪を９０度回転させ、左右方向（横方向）に方向を変えることによって、短時間にて方向を変えることを課題としている。【００１０】  移動手段を目的とする台車において、全車輪を一体に左右９０度回転させることのできる回転動具上に荷物台を設けることによって、荷物台の進行方向を何時も同じ方向に向けることを課題としている。
【発明が課題を解決するための手段】
本発明が課題を解決するために、次の技術的手段を講じている。
【００１１】  前後左右自在移動台車において、前輪二輪、後輪二輪を設け、前記車輪が各独自に前転、後転回転駆動する駆動具を備える。
【００１２】  上記全車輪を一体に右９０度、左９０度回転させることのできる回転動具を設ける。
【００１３】  上記回転動具上に荷物台を設ける。
【発明の効果】
本発明の効果は、下記に明記する。
【００１４】  本発明の前後左右自在移動台車は、前後に移動することはもちろん、左右方向（横方向）に容易に移動させることができる。
【００１５】  本発明の前後左右自在移動台車は、横方向に移動する時も、回転車輪を９０度回転させる回転具上に荷物台が付いているため、荷物台が前進方向に何時も向くことができる。
【００１６】  本発明の前後左右自在移動台車は、左右方向（横方向）移動するときは、大きく回転する事なく、回転車輪を９０度回転させる事によって、左右方向（横方向）に狭い場所にても方向を変えることができる。
【００１７】  本発明の前後左右自在移動台車は、左右方向（横方向）に移動するときは、大きく回転移動する事なく、全車輪を９０度回転させる事によって、左右方向（横方向）に方向を変えることが、短時間にてできる。
【発明を実施するための最良の形態】  本発明を実施するための最良の形態について、図面を参照して具体的に説明する。【００１８】  図１および図２は、本発明に係る前後左右自在移動台車の車輪を示す。
車輪軸受け１に、各車輪２を設ける。前記車輪は、前輪２輪と、後輪２輪を設け、各車輪に独自に前進、後進回転駆動するモーター３を取り付ける。【００１９】  図３、図４に示す、台車４に上記車輪軸受け１を取り付ける、台車上にて車輪軸１に、回転可能な歯車５を設ける。【００２０】  図５に示す、上記各車輪軸１に設けられた、回転可能な歯車５に、前記各歯車５を９０度方向を変えるための、回転可能な歯車型回転動具６を設ける。【００２１】  上記各車輪を９０度方向を変える回転動具上に荷台７を設ける。
【発明の一実施例を説明する】
【００２２】  本発明の一実施例を、図面を参照して具体的に説明する。
【００２３】  図１および図２に示す、全車輪２に独自に前進、後進する駆動具モーター３を備え、車輪軸１を、図３、図４の台車４に取り付け、台車４を前進、後進移動させる。
【００２４】  図３、図４に示す、車輪軸１に回転可能な歯車５を設け、さらに、歯車５を回転させる、方向を９０度変える歯車型回転動具６を設けられる、前記歯車型回転動具６にて、車輪２の方向を９０度変える。
【００２５】  上記によって、前後左右自在に移動することのできる台車である。さらに、横方向移動する時も、回転車輪を９０度回転させる歯車型回転動具上に荷物台が付いているため、荷物台が前進方向に何時も向くことができる。
【００２６】  図５で示す、車輪軸方向を変更する歯車型回転具６を円形の歯車と、ベルト式タイミングベルトに変更する場合も、本請求の範囲に属する。
【図面の簡単な説明】
【００２７】
【図１】本発明に係る車輪の正面図。
【図２】上記車輪の側面図。
【図３】本発明に係る台車の前面図。
【図４】上記台車の側面図。
【図５】本発明に係る上面図。
【図６】本発明の全工程の説明略図である。
【符号の説明】１  車輪軸
２  車輪
３  前進後進駆動モーター
４  台車
５  車輪方向変更歯車
６  回転動具
７  荷物台
８  車輪軸を支える棒
９  符号６の回転動具を操作する歯車
【図１】
2013216301.tif 000003
【図２】
2013216301.tif 000004
【図３】
2013216301.tif 000005
【図４】
2013216301.tif 000006
【図５】
2013216301.tif 000007
【図６】
2013216301.tif 000008
(57)【要約】      （修正有）【課題】従来のスタッドレスタイヤでは、特にアイスバーン、ミラーバーンでは、安全走行に問題があった。凍結路面、雪道、アイスーン、新雪等を安全に走行でき、安全に運転できるスタッドレスタイヤを提供する。【解決手段】スタッドレスタイヤ１に、たこの足の吸盤の様な、吸盤２をつけることにより、従来のスタッドレスタイヤでは問題であった凍結路面（アイスバーン、ミラーバーン）に吸い付き、安全に走行でき、安全に運転できる。【選択図】図１
2013216302.tif 000002
【特許請求の範囲】
【請求項１】
従来のスタッドレスタイヤに、たこの足の吸盤のような吸盤をつけた、スタッドレスタイヤ。
【発明の詳細な説明】
【技術分野】
【０００１】本発明は、従来のスタッドレスタイヤに、たこの足の吸盤の様な吸盤をつけたスタッドレスタイヤに関する。
【背景技術】
【０００２】従来のスタッドレスタイヤでは、まだまだ、アイスバーン、路面凍結環境化では不安な面があった。
【発明の概要】
【発明が解決しようとする課題】
【０００３】吸盤を付けることにより、新雪を噛む、アイスバーン、路面凍結に吸い付き安全走行、安全運転に寄与するもと思われる。
【課題を解決するための手段】本発明は理論上の考えに過ぎないので、どこかのタイヤメーカーと、話し合い、研究詳細はタイアップしてみなければ、解りません。
【発明の効果】以上の説明で十分の効果は、得られるものと思われる。
【図面の簡単な説明】
【０００４】
【図１】スタッドレスタイヤの側面図
【図２】スタッドレスタイヤの正面図
【図３】スタッドレスタイヤの断面図
【符号の説明】
【０００５】１スタッドレスタイヤ
２吸盤
【図１】
2013216302.tif 000003
【図２】
2013216302.tif 000004
【図３】
2013216302.tif 000005
(57)【要約】【課題】真夏及び炎天下の駐車するのに、木陰がなく、車内温度が高くなり困ったことがありました。この、日陰ネットを利用により、健康の保全を提供できればと思います。【解決手段】遮光性の高い日射ネット（１）を、車体の屋根におおい（２）樹脂製パイプの上部にネットと接続し、パイプの底面部に（３）マグネットで車体と接合により固定します。又、ドアの出入れするとき、側面ネットを開閉できるように（４）マグネット、テープを装着しました。【選択図】図１
2013216304.tif 000002
【特許請求の範囲】
【請求項１】
遮光性の高いネット（１）を、車体の屋根全体又は前面部におおい、支柱用として、樹脂製パイプ（２）を設け、ネットはパイプの上部と接続し、パイプの下部は車体と接合し、固定できるようにし、（３）マグネットを装置しました。
側面のネットには、ドアの開閉ができるように、マグネット、テープを装着したのが特徴です。
【発明の詳細な説明】
【技術分野】
【０００１】  この発明は、車体の屋根に、日陰ネット具を、とりつけ、とりはずしができる、日陰ネット具に関するものです。
【背景技術】
【０００２】  従来、車体にとりつけるものは、ありませんでした。
【先行技術文献】
【０００３】
【特許文献１】
【発明の概要】
【発明が解決しようとする課題】
【０００４】  これは、次のような欠点がありました。
今まで、夏期及びあつい日において、屋根つき、日陰でない駐車場に長時間いますと、車内温度が高くなり、そのため、老若男女とも不調を生じやすく、駐車中における、冷房運転が多くなり、環境にわるく、困ることが多かった。本発明は、以上のような欠点を、なくしたく、思います。
【課題を解決するための手段】
【０００５】  車体の屋根全体又は前部に、遮光性の高い、日射ネットでおおう。
支柱に樹脂製パイプ（高さ５ｃｍ２ぐらい）で、空間をつくり、パイプの底面には、マグネットにより、車体に接合して固定する。ドアから出入れの時、ネットを開閉できるマグネットテープを使用しました。
【発明の効果】
【０００６】  車内温度を下げるために、車体の屋根全体又は前面部に網状の日射ネットで、おおうことで、日陰ができ、ネットと車体の間に、パイプの高さの空間ができ、風の流通がよくなり、窓の開閉によって、温度を調節できます。
使用しない時は、車体に接合した箇所のマグネットをはずして、たたむことで保管できます。
【図面の簡単な説明】
【０００７】
【図１】本発明の斜視図である。
【図２】本発明の断面図である。
【発明を実施するための形態】
【０００８】  以下、本発明を実施するための形態について説明しますと、遮光性の高い、日射ネット（１）を車体の屋根全体又は前面部に、おおい（２）の樹脂製パイプ（高さ５ｃｍ２ぐらい）を支柱として、パイプの上部をネットと接続し、パイプの底面部に（３）マグネットを装置し、車体との接合ができ固定できる。
ドアの出入及び窓の開閉状態を考えて、側面ネットを（４）マグネットテープを装着しました。
本発明は、以上のような構造です。これを使用することで、車内温度が適性に保てると思います。
【符号の説明】
【０００９】１  遮光性の高いネット
２  樹脂製パイプ
３  マグネット
４  マグネット、テープ
【図１】
2013216304.tif 000003
【図２】
2013216304.tif 000004
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
遮光性の高いネット（１）の車体の屋根全体又は前面部に、おおう用具で、支柱として、樹脂製パイプ（２）を設け、パイプの上部と接続し、パイプの下部は、車体と接合し、固定できるように、（３）マグネット盤を装置しました。側面のネットには、ドアの開閉が、できるように、マグネットテープを装着したのが特徴です。
明細書〔０００８〕
以下、本発明を実施するための形態について説明しますと、遮光性の高い、日射ネット（１）を車体の屋根全体又は前面部におおう。（２）の樹脂製パイプ（高さ５ｃｍぐらい）を支柱として、空間をつくることで、風がとりやすくなり、車体温度を下げます。パイプの上部をネットと接続し、パイプの底面部に（３）マグネット盤を装置し、車体との接合ができ固定できる。
ドアの出入時及び開閉状態を考えて、側面ネットを（４）マグネットテープと装着しました。
本発明は、以上のような構造です。これを使用することで、車内温度が適正に保てると思います。
〔０００９〕１．遮光性の高いネット  ２．樹脂製パイプ  ３．マグネット盤  ４．マグネットテープ
(57)【要約】【課題】物体の裏側や、細部に噴霧するときに、スプレー缶を横や逆さにしても噴霧が届かなかった。本発明は、広範囲に噴霧することが出来る、スプレー缶ノズルである。【解決手段】ノズルパイプの途中に蛇腹部を設け噴霧が方向自在になったことを特徴とするスプレー缶ノズル。【選択図】図１
2013216375.tif 000002
【特許請求の範囲】
【請求項１】
ストレートノズルパイプの途中に蛇腹部を設け、噴射方向が自在可能に、なるようにしたことを特徴にしたスプレー缶ノズル。
【発明の詳細な説明】
【技術分野】
【０００１】  本発明は、物体の表面、裏側、細部等へ、方向自在に噴霧付着させることが出来るようにしたスプレー缶ノズルに関するものである。
【背景技術】
【０００２】  従来、スプレー缶ノズルは、噴霧する箇所によってスプレー缶を横や、傾けて近づけ、噴霧付着を目的として使われている。
【発明の概要】
【発明が解決しようとする課題】
【０００３】  これは、次のような問題点があった。
（イ）スプレー缶ノズルを噴霧する時に、物体の裏側や、細部に、スプレー缶ノズル口が噴霧箇所の方向に向かず、噴霧が届かなかった。
（ロ）従来のスプレー缶を、横や、逆さにすると、スプレー缶内の液剤の傾きで、吸い込みの均一が保持出来ず噴霧にむらが出来た。
（ハ）従来のパイプノズルを曲げたり、折ったりすると、パイプがつぶれて噴霧が出来なった。
本発明は、以上の問題点を解決するためになされたものである。
【課題を解決するための手段】
【０００４】ストレートノズルパイプの途中に蛇腹部をもうけ、噴射方向が自在可能に、なるようにしたことを特徴にしたスプレー缶ノズル。
本発明は、以上の構成よりなるスプレー缶ノズルである。
【発明の効果】
【０００５】（イ）蛇腹部分が、方向自在に曲がることで物体の裏側や細部への噴霧、付着が可能になった。
（ロ）スプレー缶を、横や逆さにせず均一に液剤を噴霧することが出来る。
（ハ）噴霧する時に、的確な箇所にすることが出来、周辺への無駄な噴霧がなくなった。
（ニ）本発明をスプレー缶ノズルとしてではなく、ハンドスプレー（手動式）等に使用することで、広範囲な使用目的が得られる。
【図面の簡単な説明】
【０００６】
【図１】本発明の斜視図
【図２】本発明の使用状態を示した斜視図（一部切欠き断面図）
【発明を実施するための形態】
【０００７】以下、本発明の実施の形態を説明する。
ストレートパイプ（１）の途中に蛇腹（３）を設け、噴射ボタン（４）と着脱できるようにした。
本発明は、以上のような構造である。
本発明を使用するときは、噴射ボタン（４）に、ノズルパイプ（１）を差込、ノズルパイプ（１）の途中に設けた蛇腹（３）を方向自在に曲げ噴射ボタン（４）を押すことで的確に、噴霧出来るようになった。
【符号の説明】
【０００８】１  ノズルパイプ、２  ストレートパイプ、３  蛇腹、４  噴射ボタン、５  ノズル口、６  スプレー缶
【図１】
2013216375.tif 000003
【図２】
2013216375.tif 000004
(57)【要約】【課題】従来のろうそくの底の燭台の錘に刺す部分は、円錐形の空洞になっていたため、燃焼芯の最下部は、ろうそくの中心からずれた位置に付けられていた。このことから、ろうそくが残り少なくなると、炎がろうそくの中心からずれた位置で燃えるため、燭台の錘の燃焼芯がない側は、ろうそくが斜めになって燃え残ることが多く、掃除の手間がかかっていた。【解決手段】ろうそくが最後まで残らずきれいに燃えるように、ろうそくの底の窪みの中に、可燃性の紐、糸、または布、紙などを接着、圧着して補助燃焼芯を形成する。【選択図】図２
2013216843.tif 000002
【特許請求の範囲】
【請求項１】
ろうそくの燃焼時に燃焼を補助するために、ろうそくの底の窪みの中に、窪みの形状に合わせた燃焼剤を内装した補助燃焼芯付のろうそく。
【請求項２】
燃焼剤を紐、糸、布、紙、皮、木、木屑、綿、植物などの可燃性のものとした請求項１記載のろうそく。
【発明の詳細な説明】
【技術分野】
【０００１】  本発明は、ろうそくの補助燃焼芯に関するものである。
【背景技術】
【０００２】  従来のろうそくについては、燃焼芯に、紐、糸、紙などを使用していた。また、ろうそくの底の燭台の錘に刺す部分は空洞になっていたため、燃焼芯の最下部は、ろうそくの中心からずれた位置に付けられていた。
なお、類似のもので「ろうそく」が示されている。（特許文献１参照）
【先行技術文献】
【特許文献】
【０００３】
【特許文献１】  特開２０００−３２８０９０号公報
【発明の概要】
【発明が解決しようとする課題】
【０００４】  従来のろうそくの底の燭台の錘に刺す部分は、円錐形の空洞になっていたため、燃焼芯の最下部は、ろうそくの中心からずれた位置に付けられていた。このことから、ろうそくが残り少なくなると、炎がろうそくの中心からずれた位置で燃えるため、燭台の錘の燃焼芯がない側は、ろうそくが斜めになって燃え残ることが多く、掃除の手間がかかっていた。
【課題を解決するための手段】
【０００５】  ろうそくが最後まで残らずきれいに燃えるように、ろうそくの底の窪みの中に、可燃性の紐、糸、または布、紙などを接着、圧着して補助燃焼芯を形成する。
【発明の効果】
【０００６】  ろうそくが短くなったら、従来の燃焼芯から、補助燃焼芯に炎が引火し、全周均等に燃えるため、ろうそくが最後まで残らずきれいに燃える。そのため、従来行っていた残ったろうそくの掃除の手間がなくなる。また、従来の燃焼芯の長さを補助燃焼芯までの長さまで短くすることができる。
【図面の簡単な説明】
【０００７】
【図１】外形図（本発明および従来品）
【図２】本発明の断面図
【図３】本発明の最下部の断面詳細図
【図４】本発明の従来の燃焼芯の燃焼中の断面図
【図５】本発明の従来の燃焼芯から補助燃焼芯に引火した状態の断面図
【図６】本発明の補助燃焼芯の燃焼中の断面図
【図７】従来品の最下部の断面詳細図
【図８】従来品の燃焼芯が長い状態の燃焼中の断面図
【図９】従来品の燃焼芯が短くなった状態の燃焼中の断面図
【発明を実施するための形態】
【０００８】  以下、本発明を実施するための形態について、図面に基づいて説明する。
可燃性の紐、糸、または布、紙などの燃焼剤のいずれか、あるいはこれらの燃焼剤の複数を、ろうそく（１）の底の円錐形の窪み（３）の中の全周に、接着、圧着して補助燃焼芯（４）を形成する。また燃焼芯（２）の下端部と補助燃焼芯（４）の上端部は引火しやすいように近傍に設置する。（図１，２，３）
本発明は以上のような構造である。
本発明を使用する時は、燃焼芯（２）に着火し燃焼芯（２）が短くなると、炎（５）は補助燃焼芯（４）に引火燃焼するが、補助燃焼芯（４）は円錐形の窪み（３）の中の全周に設置されているため、ろうそく（１）は短くなっても斜めに燃焼することなく均等に燃焼する。（図４，５，６）
また、従来のろうそくは残り少なくなると、炎がろうそくの中心からずれた位置で燃焼するため、燭台の錘の燃焼芯がない側は、ろうそくが斜めになって燃え残ることが多かった。（図７，８，９）
【符号の説明】
【０００９】１  ろうそく
２  燃焼芯
３  窪み
４  補助燃焼芯
５  炎
６  燭台
【図１】
2013216843.tif 000003
【図２】
2013216843.tif 000004
【図３】
2013216843.tif 000005
【図４】
2013216843.tif 000006
【図５】
2013216843.tif 000007
【図６】
2013216843.tif 000008
【図７】
2013216843.tif 000009
【図８】
2013216843.tif 000010
【図９】
2013216843.tif 000011
(57)【要約】【課題】  以下に記した（イ）（ロ）（ハ）の３項目の条件を全て満たす栞を提供する。  （イ）書籍に挟んだ箇所がわかりづらく、不意に落下しやすいという、従来からある一般的な栞の持つデメリットを排除している。  （ロ）正面から見た形状が従来の栞と同様、簡素な縦長長方形を基調としている。    （ハ）必要な部材が厚紙のみで製作できる。【解決手段】１枚の厚紙から栞本体１を切り落とす。栞本体１の上部には、折り目と切り込みと、切り込みに差し込む凸部が設けられており、これをもとに頭部１３を組み立てる。頭部１３は書籍に挟んだ栞の場所を明快に指し示す目印、ならびに栞本体１の脱着を容易にするための取っ手として機能する。腹部２の平面上には、従来からある一般的な栞と同様に、絵柄などのデザインを施し、腹部２と羽部６とで閲覧中の書籍のページの上端をまたぐようにして挟めるようにし、落下防止としての機能を付加する。【選択図】図３
2013159091.tif 000002
【特許請求の範囲】
【請求項１】
図２に示したような手順で栞の上部を組み立てて立体化し、書籍に挟んだ栞の場所を明快にすると共に、脱着を容易に行うための取っ手としての機能を付加したことを特徴とする栞。
【請求項２】
栞の組み立てに際し、接着のりや接着テープに依存せず、１枚の厚紙から折り曲げと差し込みのみで組み立て可能とする構造を特徴とする栞。
【発明の詳細な説明】
【技術分野】
【０００１】
本発明は一般的な紙の栞の上部に、折って組み立て可能な取っ手となる部位を付加したもので、その製造方法と形状に関するものである。
【背景技術】
【０００２】
従来よりある一般的な栞は、書籍の読み途中の場所を指し示す目的のみならず、絵柄や写真、時には押し花などを用いて、視覚的に楽しむための様々な装飾が施されているものが無数に存在している。
【０００３】
しかしながら、栞の部材として用いられる、単なる細長い紙の場合、栞を挟んだページを見つけるのに手間取るだけでなく、書籍を開いた際などに不意に滑り落ちてしまう問題点があった。
そこで、栞の上部に穴を開け、これに紐を通したものも一般的ではあるが、閉じた書籍からはみ出した紐はダラリと垂れ下がり、栞の挟んだページを指し示すには、今一つ明快さを欠いている。
また、書籍から栞が滑り落ちてしまう問題点に関しても、さほど改善されていない。
また、紐を栞の上部に穴を開けて装着することで、栞全体に施されたデザイン性が損われる懸念が生じるだけでなく、穴に紐を通す手間なども考慮すべき問題点である。
【０００４】
上記したこれらの問題点に着眼し、書籍の読み途中の箇所を指し示すという栞本来の目的のみならず、視覚的にも楽しむ目的で考案されたものに特許文献１のようなものがある。
特許文献１では、正面から見た栞本体の形状をを逆Ｌ字状、またはＴ字状となるような手法を試みている。
【先行技術文献】
【特許文献】
【０００５】
【特許文献１】特開２００６−２４８１９２
【発明の概要】
【発明が解決しようとする課題】
【０００６】
しかしながら、上記した特許文献１の使用形態では、栞が書籍の上部から大きくはみ出すことで、書籍の持ち運びや書籍棚への収納に際し、困難をきたす懸念が生じる。
また、栞全体の形状の一部が極端に突起する変則的な形状では、デザインを施す際にも様々な制約が生じる。
【０００７】
以上のことを踏まえ、以下に記した（イ）（ロ）（ハ）の３項目の条件を全て満たす栞は未だかつて存在していない。
（イ）書籍に挟んだ箇所がわかりづらく、不意に落下しやすいという、従来からある一般的な栞の持つデメリットを排除している。
（ロ）正面から見た形状が従来の栞と同様、簡素な縦長長方形を基調としている。
（ハ）必要な部材が厚紙のみで製作できる。
【課題を解決するための手段】
【０００８】
図１に示したように、１枚の厚紙から栞本体１を切り落とし、栞本体１の上部を図２に示した手順通りに組み立てることで、書籍から脱着するための取っ手となる頭部１３を組み立てる。
腹部２の平面上には、従来からある一般的な栞と同様に、絵柄などのデザインを施し、腹部２と羽部６とで閲覧中の書籍のページの上端をまたぐようにして挟めるようにした。
【発明の効果】
【０００９】
栞本体１を組み立てることで形成される部位（３胸部・４天面部・５背部・７肩部・８上腕部・９下腕部）を頭部１３とし、頭部１３が閉じた書籍の上端から立体的にはみ出すことで、栞の挟んだ箇所を明快に指し示すことができる。
【００１０】
また、頭部１３は取っ手としても機能し、書籍からの栞の脱着を容易に行うことができる。
【００１１】
また、腹部２と羽部６でページ上端をまたぐようにして挟むことで、落下防止としての機能が付加される。
【００１２】
また、頭部１３は比較的コンパクト（頭部高さＨ・頭部幅Ｗ、共に１０ｍｍ以内）に設計可能であり、使用者に対し、視覚的な煩わしさをさほど感じさせることなく、書籍棚への収納も円滑に行うことができる。
【００１３】
また、首線１４は頭部１３と同様、栞本体１を組み立てた後に形成される部位で、前後に重なり合う折れ線によって形成される可動のための関節部である。
栞を使用中、頭部１３が不意の障害物（指先、机上面、隣接する書物、等）に接触した際、首線１４を軸に、頭部１３が可動方向Ｒに柔軟に折れ曲がることで、栞本体の脱落や破損といった事態を軽減することができる。
【００１４】
また、栞本体組み立て後の、正面から見た栞本体１の全体の形状は、従来からある一般的な栞と同様、簡素な縦長長方形を基調としており、そのため、従来の栞と同様、汎用性に富んだデザインを提供することができる。
【００１５】
また、本発明を製作する上で必要とする技術や設備は、今日普及している紙パッケージの制作過程と何ら変わらない。そのため、比較的安価に量産することができる。
【図面の簡単な説明】
【００１６】
【図１】本発明の正面図である。
【図２】本発明の、本体上部の組み立て手順を、背面から示した立体図である。
【図３】本発明の、使用形態を示した立体図である。
【発明を実施するための形態】
【００１７】
以下、本発明の実施の形態について、図面に従って説明する。
【００１８】
図１に示された栞本体１の上部にある山折り線１１と谷折り線１２を、図２中にある１００〜１０３に示したような手順に従い、頭部１３となる部位を組み立てる。
つまり、頭部１３は複数の部位（胸部３・天面部４・背部５・肩部７・上腕部８・下腕部９）によって形成される。
また、頭部１３の付け根となる部位を首線１４とする。
首線１４が軸となって折れ曲がることで、頭部１３は可動方向Ｒの可動域を得る。
【００１９】
図３に示したように、書籍の読みかけのページ紙１５の上端を腹部２と羽部６でまたぐようにして挟み、書籍を閉じた際、書籍の上端から頭部１３をはみ出させるようにする。
【符号の説明】
【００２０】
１…栞本体
１ａ…栞本体正面
１ｂ…栞本体背面
２…腹部
３…胸部
４…天面部
５…背部
６…羽部
７…肩部
８…上腕部
９…下腕部
１０…切り込み線
１１…山折り線
１２…谷折り線
１３…頭部
１４…首線
１５…ページ紙
１６…書籍
Ｗ…頭部幅
Ｈ…頭部高さ
Ｒ…可動方向
【図１】
2013159091.tif 000003
【図２】
2013159091.tif 000004
【図３】
2013159091.tif 000005
(57)【要約】【課題】従来、指が曲がったままの人が、手を保護するために使用していたタオルでは、手から外れやすく、また、指の股のただれを防ぐことはできないので、本発明は、指が曲がったままの人が使用する手の保護具を提供する。【解決手段】手袋の小指以外の指を指の長さの半分ぐらいに切り、先端を縫い、指より長めの、棒状に巻いたガーゼを指に詰め、小指を横に曲げ、曲げた小指にガーゼの入っていない部分の布を挟み、マジックテープで留めたことを特徴とする指が曲がったままの手の保護具。【選択図】図１
2013159888.tif 000002
【特許請求の範囲】
【請求項１】
手袋の小指以外の指を指の長さの半分ぐらいに切り、先端を縫い、指より長めの、棒状に巻いたガーゼを指に詰め、小指を横に曲げ、曲げた小指にガーゼの入っていない部分の布を挟み、マジックテープで留めた指が曲がったままの手の保護具。
【発明の詳細な説明】
【技術分野】
【０００１】  本発明は、パーキンソン病などの症状である、指が曲がったまま伸ばすことができない手の保護具に関するものである。
【背景技術】
【０００２】  従来、指が曲がったままの人が、手を保護するために使用する特別なものはなく、タオルを握ったりしていたようである。
【発明の概要】
【発明が解決しようとする課題】
【０００４】  指が曲がったままの人が、手を保護するために使用していたタオルでは、掌を爪から保護することはできるが、手から外れやすく、また、指の股のただれを防ぐことはできない。
本発明は、以上のような問題点を解決するためになされたものである。
【課題を解決するための手段】
【０００５】  手袋の小指以外の指を指の長さの半分ぐらいに切り、先端を縫い、指より長めの、棒状に巻いたガーゼを指に詰め、小指を横に曲げ、曲げた小指にガーゼの入っていない部分の布を挟み、マジックテープ（ワンタッチ）で留める。
以上の構成よりなる指が曲がったままの手の保護具。
【発明の効果】
【０００６】  手袋で掌が爪から保護されると同時に、指で手袋の指を挟むため外れにくく、また、指と指の間が広がり、布で保護されるので指の股のただれを防ぐことができる。
【図面の簡単な説明】
【０００７】
【図１】  本発明の断面図
【図２】  本発明の作成途中を示した断面図
【図３】  本発明の使用状態を示した斜視図
【発明を実施するための形態】
【０００８】  以下、本発明の実施の形態を説明する。
（イ）綿の作業用手袋（１）の小指以外の指の部分を指の長さの半分ぐらいに切り、先        端を縫う。
（ロ）親指の付け根までくる長さの、棒状に巻いたガーゼ（２）を５本の指に詰める。        指にガーゼを詰めるとき、棒に巻きつけて差し込むとよい。
（ハ）小指を横に曲げ、曲げた小指に、ガーゼの入っていない部分の布を挟み込み、取        り付けたマジックテープ（３）で留める。
本発明は以上のような構造である。
本発明を使用するときは、手袋の掌の膨らんだ部分を自分の掌に充て、指の間に手袋の親指から薬指を差し込む。
【符号の説明】
【０００９】  １  手袋
２  ガーゼ
３  マジックテープ（ワンタッチ）
【図１】
2013159888.tif 000003
【図２】
2013159888.tif 000004
【図３】
2013159888.tif 000005
(57)【要約】【課題】  男性用下半身下着にはトランクス、ブリーフ、その他があるが、いずれの下着にも構造に問題があり、面倒で時間がかかる原因になっている。そのため幼・小児、高齢者の洩らしによる汚れ、駅など公共の場所でトイレの込む原因にもなっている。本考案は下着のボタンを無くし、開口部をより相応しい形として、時間の短縮などを目ざした。【解決手段】  下着の開口部を、起点とする上端から縦中心線を横断して、反対側の下端を終点とするよう、斜めに設ける。開口部上端は、左右いずれの位置でも同じ効果がある。【選択図】図１
2013159889.tif 000002
【特許請求の範囲】
【請求項１】
下着の開口部上端を起点とし、開口部下端を終点とする時、起点を縦中心線の左右いずれかの上部に設け、終点は縦中心線を横切り起点の反対側とし、起点より終点までは直線・または曲線を斜めに設けることを特徴とし、開口部の起点は縦中心線の左右いずれでもよいことを特徴とする男性用下半身下着。
【請求項２】
開口部の起点を縦中心線上に、または縦中心線より左側とする時、その終点が縦中心線の左側にあることを特徴とする、請求項１記載の男性用下半身下着。
【請求項３】
本考案における下着とは、トランクス、ブリーフ、ボクサー型、Ｔバック型、さるまた及びステテコ、股引、レギンス、スパッツ、スポーツタイプ等の、両足を左右に分けて挿入する下着のことで、長・短及び幼・小児、成人、介護用を問わない請求項１記載の男性用下半身下着。
【発明の詳細な説明】
【技術分野】
【０００１】  本発明は、トランクス、ブリーフ等の丈の短い下着、及びステテコ、股引等の丈の長い男性用下半身下着に関するものである。
【背景技術】
【０００２】  男性用下半身下着には前面に小用のための開口部が有るものと、無いものがある。そのうち開口部が有る下着は着体時において、縦中心線部にある開口部をボタンで開閉するトランクス型と、縦中心線から右側に開口部を有するブリーフ型に大きく分けることができる。【０００３】  小用のための開口部の無い下着には、さるまたやＴバック等があるが、いずれも着体時において左側の裾縁と太ももの間の隙間を利用している。【０００４】  なお下着前面の開口部を縦中心線部では無く、左右いずれかに直線状に偏らせたものも知られている。
【先行技術文献】
【特許文献１】  実登第３１０３３８５号
【発明の概要】
【発明が解決しようとする課題】
【０００５】  小用のための動作は下着の構造上両手が必要であるが、もっと用意にできれば幼・小児、高齢者等の洩らしが無くなり、下着も汚れない。また怪我や障害等で片手しか使えない場合にも役に立つ。駅など公共の場所でのトイレの長い行列も解消する。
しかしトランクス等の下着では開口部が縦中心線部にあるため、ボタンが必要であるが、開閉する動作は煩わしく時間がかかる。またボタンが複数ついているものもあり、煩わしさからボタンがあっても使用しない場合もある。
またブリーフ型の下着では、開口部は着体時において縦中心線の右側にあるため、ボタンは必要ない。しかしそのため動作は複雑である。まず右向きに設けられたズボンのファスナーの開口部より入れられた右手は、そのまま左に向かうのが自然であるが、右側に向きを変えて、そこに設けられた外縁部より下着内部に手を入れ、重なり合う上の布地と下の布地の間を進み、左側にある内側出口開口縁に到達したら、その地点から右下方向に逆戻りするようにまた向きを変え、局部を探りあて引き出して後、始めて小用ができる。慣れているため意識しないが、これは本来不自然で厄介な動作である。そのため幼児などでは、ほとんどの場合下着とズボンを一緒に脱いでいる。
また開口部が無いタイプのトランクス、さるまた、Ｔバック等の下着では裾縁と太ももとの隙間から局部を引き出すため、手の動きはいよいよ大きくなり、普段使用する片側の裾縁だけが汚れ、緩んで型崩れする。
そしていずれの下着でも、季節に合わせて重ね履きするような場合もあり、いよいよ面倒である。さらに構造上片手だけでは間に合わず、他方の手で補助する動作が必要である。
本発明は男性用下半身下着において、小用にともなう動作を容易にし、時間を短縮することを課題とした。そのためボタンを不要とし、相応しい開口部の形を考えた。
【課題を解決するための手段】
【０００６】  小用のために設けられた開口部の上端を起点とし、下端を終点とする時、着体時においてトランクス等の下着は起点と終点は共に縦中心線にあり、ブリーフ等の下着は起点と終点が共に右側にある。本考案はこの起点を下着の種類を問わず左側上部に置き、前身部の縦中心線を横切り右側下部を終点とするよう、開口部のラインを斜めにする。また開口部の起点は従来通り右側上部とし、縦中心線を横切り終点を左側下部とする斜めのラインとしてもよい。
【発明の効果】
【０００７】  これにより、ボタンのある下着も開口部が前身縦中心部に無いので、ボタンが不要となる。いずれの下着でも局部に手が届きやすくなる。下着裾縁と太ももの隙間を利用していた下着もその必要が無くなるので、型崩れせず長持ちする。すべての下着において動作が速まり、幼・小児、高齢者等の洩らしは少なくなり下着を汚さない。小用に要する時間が短縮される結果、駅など公共の場所でのトイレの行列も解消する。
【図面の簡単な説明】
【０００８】
【図１】  小用のための開口部の起点を、従来のブリーフとは反対側となる左側上部に設け、前身縦中心線を横切り、右側の下部を終点とする斜めのラインとする。また、開口部の起点を従来のブリーフと同じ縦中心線より右側上部とし、縦中心線を横切り、左側の下部を終点する斜めのラインとしても、同様の効果が得られる。
【図２】  開口部の起点を縦中心線上とし、終点部をその左側とし、開口部のラインを斜めに形成した。ラインの形状は直線にこだわらない。
【符号の説明】
【０００９】１…開口部    ２…起点部    ３…終点部
【図１】
2013159889.tif 000003
【図２】
2013159889.tif 000004
(57)【要約】      （修正有）【課題】実質的に横か前での作業だけで着ることができる簡単着物、特に男性用の着物を提供する。【解決手段】着物１の少なくとも両脇にベルト通し３ａ、３ｂ、３ｃを設けてなる着物。ベルト通し３ａ、３ｂの形は特に限定されないが、輪の形状とし、該輪を１点で着物１に取り付けることが好ましい。ベルト６としては布製、合成樹脂製、革製、伸縮可能な紐やベルト６が好ましい。【選択図】図１
2013159873.tif 000002
【特許請求の範囲】
【請求項１】
着物の少なくとも両脇にベルト通しを設けてなる着物。
【請求項２】
さらに着物の背中心の外側にベルト通しが設けられている請求項１記載の着物。
【請求項３】
さらに着物の背中心の外側に面ファスナーが縫い付けられている請求項１記載の着物。
【請求項４】
ベルト通しが輪であって、該輪の１点で着物に取り付けられている請求項１〜３のいずれか１項に記載の着物。
【請求項５】
ベルトが伸縮可能なベルトである請求項１〜４のいずれか１項に記載の着物。
【請求項６】
ベルトの端が面ファスナーである請求項１〜５のいずれか１項に記載の着物。
【発明の詳細な説明】
【技術分野】
【０００１】
本発明は、簡単に着用できる着物（和服）に関する。
【背景技術】
【０００２】
和服としてもっとも一般的な着物は、女性用としては訪問着、振袖などが挙げられ、男性用としては着流し（アンサンブル）が挙げられる。さらに浴衣も庶民的な着物の代表であろう。
【０００３】
これらの着物に共通する点は、左右の前身頃と後身頃、さらには袖を備えている点であるが、女性用は、おはしょりという余りを取るために身長に比べて長い丈（身丈）が普通である。一方、男性用の着物では通常、着用者の身長に即して身丈を決めている。
【０００４】
したがって、男性用の着物は、袴などとは異なり、もっとも簡単に着ることができる着物であると考えられているからか、特許出願も少なく、袖や袂を明けて風通しをよくするなどの提案や、袖を付け替えできるようにする提案、汚れやすい衿の部分の付け替えの提案があるだけである（特許文献１、２、３）。そのほか、紐に代えて伸縮性の帯（男締め）を用いて、着崩れを防ぐ工夫がなされている程度である。
【先行技術文献】
【特許文献】
【０００５】
【特許文献１】特開２００５−８９９３９号公報
【特許文献２】実用新案登録第３１１７１３２号明細書
【特許文献３】実用新案登録第３０２６９２１号明細書
【発明の概要】
【発明が解決しようとする課題】
【０００６】
本発明は、練習をすることなく誰でも初めから簡単に少ない動作でしかも目で見える範囲での作業、すなわち実質的に横か前での作業だけで着ることができる簡単着物、特に男性用の着物を提供することを目的とする。
【０００７】
更にまた本発明の目的は、既存の従来の着物を極めて少ない修正で作製できる簡単着物を提供することにある。
【課題を解決するための手段】
【０００８】
すなわち本発明は、着物の少なくとも両脇にベルト通しを設けてなる着物に関する。
【発明の効果】
【０００９】
本発明によれば、実質的に横か前での作業だけで着ることができる簡単着物、特に男性用の着物を提供することができる。
【００１０】
本発明の着物によれば、体、特に腕などの上半身が動かせにくい人にとって、無理をすることなく簡単に着物を着ることができる。
【図面の簡単な説明】
【００１１】
【図１】本発明の着物を後ろから見た概略説明図である。
【図２】本発明の着物を前から見た概略説明図である。
【図３】本発明の着物に用いるベルト通しの好ましい例の概略説明図である。
【発明を実施するための形態】
【００１２】
本発明は、図１〜２に示すとおり、着物１の少なくとも両脇２ａ、２ｂにベルト通し３ａ、３ｂを設けてなる着物に関する。
【００１３】
この簡単な改良により、着物に手を通す前にベルトを予めベルト通しに通しておけば、着物を羽織った後は、横か前での作業だけで着物を着ることができる。
【００１４】
本発明においては、さらに着物の背中心４の外側に、ベルト通し３ｃが設けられているか、面ファスナー５が縫い付けられていることが、ベルト６の中心を仮に固定できる点から好ましい。
【００１５】
ベルト通し３の形は特に限定されないが、図３に示すように、特に輪の形状とし、該輪を１点で着物に取り付けることが好ましい。この場合、取り付け点を中心に上下にベルト位置を幅広く自由に動かすことができるので、身長や体型の違いにも柔軟に対応することができる。
【００１６】
ベルト６としては特に限定されず、布製の紐やベルトでも、合成樹脂性のベルト、革製のベルトでもよいが、伸縮可能なベルト（一般に、男締めや腰紐ベルトなど）が着崩れし難い点から好ましい。
【００１７】
ベルト６の両端は、結べるものであれば結び、比較的硬い場合はバックルやクリップのような留め具で留めることができる。さらに、ベルトの端を面ファスナーにしておくと、自分に適切な長さで留めることができ、便利である。
【００１８】
本発明の着物を男性用の長着として用いる場合、角帯やヘコ帯を腰に巻くので、ベルト通しや、場合によっては面ファスナーは帯の下に隠れるので、外観を損ねることもない。
【００１９】
本発明の着物は、上記のように、男性用の長着としてもっとも有用であるが、長襦袢、半襦袢にも適用できる。さらに女性用の下着（襦袢や補正下着など）にも応用することができる。
【符号の説明】
【００２０】
１  着物
２ａ、２ｂ  脇
３ａ、３ｂ、３ｃ  ベルト通し
４  背中心
５  面ファスナー
６  ベルト
【図１】
2013159873.tif 000003
【図２】
2013159873.tif 000004
【図３】
2013159873.tif 000005